(57)【特許請求の範囲】
【請求項１】
床面洗浄機や床面清掃機、又は、床面艶出機に取り付けられていて、モータを駆動することによってブラシの毛を固定した回転円板を高速回転させることにより、床面の洗浄や清掃、又は、艶出しを行うように構成した床面洗浄機等用ブラシ装置であって、
上記回転円板の下面に、上記ブラシの毛を回転方向に対して複数箇所に分割して固定することにより、ブラシの毛が固定されている領域と固定されていない領域とが回転方向に交互に繰り返すように構成し、
上記ブラシの毛が固定されていない回転円板の各領域には、夫々補助台を取り付けて、これ等各補助台の下面にはパッドを取り付けることとし、
前記回転円板又は前記補助台のいずれか一方にシリンダーを取り付け、これに対向する上記補助台又は回転円板のいずれか一方には、上記シリンダー内に摺動自在に挿入するスライドシャフトを取り付けると共に、
上記シリンダーの外周で、且つ、上記回転円板と補助台との間には、上記補助台を前記床面側に押圧する弾性部材を介在したことを特徴とする床面洗浄機等用ブラシ装置。
【請求項２】
前記回転円板の下面に取り付けられる各パッドの外側端が、少なくとも当該回転円板の外周縁と略同一線上、或いは、それよりも若干内側に設けられていることを特徴とする請求項１に記載の床面洗浄機等用ブラシ装置。
【請求項３】
前記各補助台に取り付けられるパッドが、四角形に形成されたメラミン系樹脂発泡体によって構成されていることを特徴とする請求項１又は２に記載の床面洗浄機等用ブラシ装置。
【請求項４】
前記弾性部材の外周を、上記補助台から立ち上げた防塵筒にて囲んだことを特徴とする請求項１に記載の床面洗浄機等用ブラシ装置。
【請求項５】
前記回転円板における前記補助台の取り付け部分に対して、前記シリンダー又はスライドシャフトのいずれか一方を設けた係合体を夫々別途構成して装着したことを特徴とする請求項１に記載の床面洗浄機等用ブラシ装置。
【請求項６】
前記シリンダー内に摺動自在に挿入される前記スライドシャフトの外周部、又は、上記シリンダーの内周部のいずれか一方に、摺動用リングを装着したことを特徴とする請求項１又は５に記載の床面洗浄機等用ブラシ装置。
【請求項７】
前記各補助台の上面部から、前記スライドシャフト又はシリンダーと平行に補助シャフトを立ち上げて、前記回転円板にはこれ等各補助シャフトを摺動自在に挿入する貫通孔を設けると共に、各補助シャフトの上端部には貫通孔からの抜け止めを防止する抜け止め部材を設けたことを特徴とする請求項１、５又は６に記載の床面洗浄機等用ブラシ装置。
【請求項８】
前記パッドを取り付ける前記補助台の下面が、少なくとも前記回転円板に固定された前記ブラシの毛の先端ラインよりも突出しない様に設けられ、且つ、前記各補助シャフトにより補助台の下限の位置が制限されていることを特徴とする請求項７に記載の床面洗浄機等用ブラシ装置。
【発明の詳細な説明】
【技術分野】
【０００１】
本発明は、オフィスや空港のロビーといった各種の床面を洗浄したり清掃又は艶出しするための床面洗浄機、床面清掃機、又は床面艶出機に使用して好適なブラシ装置に関するものであって、具体的には、床面の洗浄や清掃、又は、艶出しをブラシとパッドにて同時に行なえるように工夫した床面洗浄機等用ブラシ装置に関するものである。
【背景技術】
【０００２】
従来の一般的な床面洗浄機は、洗浄用のブラシをモータで高速回転することによって、床面の汚れをブラシで掻き落として洗浄しているが、例えばセラミックタイル等で造られた床面をこの洗浄用ブラシで直接洗浄した場合には、高速回転する洗浄用ブラシがセラミックタイルの表面に形成されている細孔の中まで掃除できないため、細孔内にゴミが残ってタイル表面をきれいに洗浄できない問題があった。
【０００３】
即ち、セラミックタイルはその焼成時に内部の空気が抜けた表面部分に多数の微細な孔があくため、これ等細孔内に溜まったゴミがタイル表面を黒くうす汚れた状態にしていたのであるが、洗浄用ブラシを高速回転する従来の一般的な床面洗浄機では、上記細孔内のゴミをきれいに洗浄できずに、汚れを残してしまう問題があった。
【０００４】
そこで、セラミックタイル用の洗浄手段として、例えば特許文献１に記載の「ポリッシャー」や、特許文献２に記載の「床面洗浄機用パッド」が開発された。即ち、上記特許文献１の「ポリッシャー」は、回転駆動するパッド台の先端部分にメラミン系樹脂発泡体を固定することにより、セラミックタイルの汚れを洗剤を使わずに水のみで清掃できるように構成されている。
【０００５】
また、上記特許文献２の請求項１には、セラミックタイルの細孔に入り込んだ汚れを除去するために、ドーナツ形状をしたメラミンフォームの床面洗浄機用パッドの記載があり、また請求項３には、パッド台の中央部に弾性部材によって支持されたフォーム支持板を設置し、このフォーム支持板にドーナツ状のメラミンフォームを取り付け、その外側にブラシを環状に配置した床面洗浄機用のパッドが記載されている。
【特許文献１】登録実用新案第３１３９２５２号公報
【特許文献２】特開２００８−９９７６８号公報
【発明の開示】
【発明が解決しようとする課題】
【０００６】
ところが、上記特許文献１に記載のポリッシャーは、セラミックタイルの表面の清掃には適しているものの、目地の部分は凹んでいるので、平坦なメラミン系樹脂発泡体だけでは深い部分には行き届かないため、汚れが残ってしまう問題があった。
【０００７】
また、上記特許文献２の請求項１に記載のパッドでは、メラミンフォームはタイルの表面の清掃には効果があるが、定型の素材からドーナツ形状に加工するので無駄な部分が出てしまい経済性が悪かった。更に、請求項３のパッドでは、中央部にメラミンフォーム、外周にはブラシを環状に設けたので目地の部分まで清掃可能となったが、メラミンフォームが中央部に配置されているので、壁際に配置されたタイルの隅々までの清掃は出来なかった。
【０００８】
従って本発明の技術的課題は、凹んでいる目地の部分のような深い部分でも充分に洗浄することができ、且つ、壁際に位置するタイルの隅々までもきれいに洗浄できると共に、ブラシ装置の製造コストを安くできる経済性と安全性を備えた床面洗浄機等用ブラシ装置を提供することである。
【課題を解決するための手段】
【０００９】
（１）  上記の技術的課題を解決するために、本発明の請求項１に係る床面洗浄機等用ブラシ装置は、床面洗浄機や床面清掃機、又は、床面艶出機に取り付けられていて、モータを駆動することによってブラシの毛を固定した回転円板を高速回転させることにより、床面の洗浄や清掃、又は、艶出しを行うように構成した床面洗浄機等用ブラシ装置であって、上記回転円板の下面に、上記ブラシの毛を回転方向に対して複数箇所に分割して固定することにより、ブラシの毛が固定されている領域と固定されていない領域とが回転方向に交互に繰り返すように構成すると共に、上記ブラシの毛が固定されていない回転円板の各領域には、夫々補助台を取り付けて、これ等各補助台の下面にはパッドを取り付けることとし、前記回転円板又は前記補助台のいずれか一方にシリンダーを取り付け、これに対向する上記補助台又は回転円板のいずれか一方には、上記シリンダー内に摺動自在に挿入するスライドシャフトを取り付けると共に、上記シリンダーの外周で、且つ、上記回転円板と補助台との間には、上記補助台を前記床面側に押圧する弾性部材を介在したことを特徴としている。
【００１０】
（２）  また、本発明の請求項２に係る床面洗浄機等用ブラシ装置は、前記回転円板の下面に取り付けられる各パッドの外側端が、少なくとも当該回転円板の外周縁と略同一線上、或いは、それよりも若干内側に設けられていることを特徴としている。
【００１１】
（３）  また、本発明の請求項３に係る床面洗浄機等用ブラシ装置は、前記各補助台に取り付けられるパッドが、四角形に形成されたメラミン系樹脂発泡体によって構成されていることを特徴としている。
【００１２】
（４）  また、本発明の請求項４に係る床面洗浄機等用ブラシ装置は、前記弾性部材の外周を、上記補助台から立ち上げた防塵筒にて囲んだことを特徴としている。
【００１３】
（５）  また、本発明の請求項５に係る床面洗浄機等用ブラシ装置は、前記回転円板における前記補助台の取り付け部分に対して、前記シリンダー又はスライドシャフトのいずれか一方を設けた係合体を夫々別途構成して装着したことを特徴としている。
【００１４】
（６）  また、本発明の請求項６に係る床面洗浄機等用ブラシ装置は、前記シリンダー内に摺動自在に挿入される前記スライドシャフトの外周部、又は、上記シリンダーの内周部のいずれか一方に、摺動用リングを装着したことを特徴としている。
【００１５】
（７）  また、本発明の請求項７に係る床面洗浄機等用ブラシ装置は、前記各補助台の上面部から、前記スライドシャフト又はシリンダーと平行に補助シャフトを立ち上げて、前記回転円板にはこれ等各補助シャフトを摺動自在に挿入する貫通孔を設けると共に、各補助シャフトの上端部には貫通孔からの抜け止めを防止する抜け止め部材を設けたことを特徴としている。
【００１６】
（８）  更に、本発明の請求項８に係る床面洗浄機等用ブラシ装置は、前記パッドを取り付ける前記補助台の下面が、少なくとも前記回転円板に固定された前記ブラシの毛の先端ラインよりも突出しない様に設けられ、且つ、前記補助シャフトにより補助台の下限の位置が制限されていることを特徴としている。
【００１７】
上記（１）と（２）で述べた請求項１及び２に係る手段によれば、床面洗浄機等用の回転円板の下面に、ブラシの毛の部分と補助台の部分とを回転方向に対して交互に分けて配置したので、ブラシの毛の部分で大きなゴミや目地の凹んだ部分の清掃が出来、補助台に取り付けたパッドの部分では、タイル等の表面のゴミを除去できる。また、補助台の外端を回転円板の外周に合わせて設け、且つ、この補助台にパッドを取り付けたので、パッドによる洗浄範囲が広がり、壁際まで清掃可能となる。更に、このパッドの面が回転円板のブラシ面より下方に突出するので、パッドが摩耗したとしても、弾性部材によってパッドを清掃面側に押し出すことができるため、ブラシの毛とパッドの面とが同一の清掃面を維持することができる。
【００１８】
更に上記（１）で述べた請求項１に係る手段によれば、回転円板又は補助台にシリンダーを取り付け、補助台又は回転円板にスライドシャフトを設けて、このスライドシャフトをシリンダー内で摺動させるため、補助台の姿勢が床面と平行に安定してカジリが発生しないから、補助台の滑らかな往復運動を可能にする。また、シリンダーの外周に弾性部材を配置して補助台を押圧降下するため、パッドを常に床面側に押接させることが出来る。
【００１９】
上記（３）で述べた請求項３に係る手段によれば、セラミックタイルの洗浄に当たって、前記補助台に取り付けられたメラミン系樹脂発泡体で造ったパッドの部分では、セラミックタイルの表面に形成されている細孔の中に入り込んだゴミを除去することを可能にする。更に、四角形に形成されたパッドを用いるため、材料取りが良くて優れた経済性を発揮することができる。
【００２０】
上記（４）で述べた請求項４に係る手段によれば、前記弾性部材の外周に防塵筒を設けたので、シリンダー部にゴミや埃が入りにくく、使用中に補助台の動きが鈍くなることがない。
【００２１】
上記（５）で述べた請求項５に係る手段によれば、回転円板を単純な形状の板材などから簡単に加工し、複雑な形状の係合体を別部品として加工することによって、床面洗浄機等用ブラシ装置の製造と組立ての手間とコストを大幅に軽減することを可能にする。また、補助台が複数の場合は同一部品を利用できるので合理的で、コストの安いブラシ装置を提供することができる。
【００２２】
上記（６）で述べた請求項６に係る手段によれば、シリンダー内を摺動するスライドシャフトの外周部分、又は、シリンダーの内周部分に、摺動用リングを設けたので滑りが良く、パッドを取り付けた補助台を円滑に上下動させて、床面洗浄の作業性が向上する。
【００２３】
上記（７）で述べた請求項７に係る手段によれば、補助台に設けた簡単な構成の補助シャフトと抜け止め部材が補助台の回転防止の役目と、補助台の最大突出量の設定ができるため、床面洗浄機や床面清掃機、又は、床面艶出機に使用して好適で、且つ、安全なブラシ装置を提供することができる。
【００２４】
上記（８）で述べた請求項８に係る手段によれば、パッドを補助台から取外した場合に、当該補助台の下面がブラシの毛の先端ラインよりも上に位置しているため、パッドを取り外しても補助台の下面が清掃面に当たらないため、清掃面をブラシのみの洗浄機又は清掃機、或いは、艶出機として使用することを可能にする。
【発明の効果】
【００２５】
以上述べた次第で、本発明に係る床面洗浄機等用ブラシ装置によれば、モータによって高速回転するブラシの毛の部分で床面の大きなゴミや、目地の様な凹んだ部分の洗浄や清掃又は艶出しを行うことができ、一方、ブラシの毛では充分に洗浄等ができなかったセラミックタイル表面の汚れは、補助台に取り付けたメラミン系樹脂発泡体製のパッドが、細孔の中に溜まったゴミを取り除いて、タイル表面をきれいに洗浄できるため、床面の材質に関係なく、床面の隅々まできれいに洗浄、清掃、艶出しができる万能タイプのブラシ装置を提供できるものであって、製造と組立てが簡単でコストを軽減できる点、補助台を円滑に、而も、安定した状態で上下動させることにより、パッドを床面の凹凸に追従させて、優れた洗浄効果、清掃効果及び艶出し効果を発揮できる点と相俟って、各種構造の床面洗浄機や床面清掃機又は床面艶出機に実施して、頗る好適なものである。
【発明を実施するための最良の形態】
【００２６】
以下に、上述した本発明に係る床面洗浄機等用ブラシ装置の実施の形態を図面と共に説明すると、図１は本発明のブラシ装置が実施される床面洗浄機の一例を説明した斜視図であるが、本発明が実施される床面洗浄機の形態が図１に記載のものに限定されないことは勿論である。更に、本発明に係るブラシ装置は床面清掃機や床面艶出機にも実施可能であるが、床面清掃機と床面艶出機は床面洗浄機と基本構造が類似しているため、ここでは実施例として床面洗浄機の構造のみを説明して、床面清掃機と床面艶出機の説明は省略する。
【００２７】
而して図１において、符号ＳＢにて全体的に示されている床面洗浄機（スクラバー）は、下面部にモータＭＴによって高速回転される回転円板１が備えられ、回転円板１の下面には洗浄用のブラシの毛２…（以下単にブラシ２という）が設けられていて、この回転円板１とブラシ２…とによってブラシ装置が構成される。また、床面洗浄機ＳＢには、洗浄水ＣＷを収容する洗浄水タンクＴＡと、後述するスキージによって床面Ｆ（図４（２）参照）から吸引された洗浄後の汚水ＤＷを回収する汚水タンクＴＢが設けられている。
【００２８】
更に図１において、３は取水口３Ｒから取水した洗浄水ＣＷを、給水パイプ３Ｐを通して上記回転円板１の中央部に開口された散水孔１Ｈに送り込むことによって、上記ブラシ２…に洗浄水を給水する給水ポンプ、４はブロアーであって、上記汚水タンクＴＢ内の空間部に及ぼした吸引作用を、ホース６を通して床面洗浄機ＳＢの後部に連結したスキージ５に及ぼすことにより、上記回転円板１の高速回転によってブラシ２が洗浄した後に残る汚水ＤＷを、上記ホース６を通して汚水タンクＴＢに回収するように構成されている。
【００２９】
尚、図１において７は床面洗浄機ＳＢの後部に設けた運転用の操作ハンドル、８Ａと８Ｂは床面洗浄機ＳＢの底部に設けた前輪と、後輪（駆動輪）を示す。
【００３０】
図２は前記回転円板１の底面図であって、図面の表面側が前記請求項に記載した「下面」を示す。図３は図２のＸ−Ｘ線に沿った断面図、図４（１）と（２）は図３のＡ部に示した本発明の要部を拡大して示した断面図であって、図４（１）は洗浄していない時の状態を示し、図４（２）は床面Ｆを洗浄している時の状態が示されている。また、図６（１）は上記回転円板１を下側から見た斜視図、図６（２）は回転円板１を上側から見た斜視図である。
【００３１】
上記図２並びに図６（１）に示すように、回転円板１の下面に固定されるブラシ２…は、回転円板１の底面全体に固定されるのではなく、底面中央部と、この中央部を中心とする放射方向にブラシ２が設けられていない複数の（図面では３箇所の）平面部２Ｘ…が回転方向に間隔的に形成されていて、これ等各平面部２Ｘ…には、夫々補助台１０が配置されている。
【００３２】
各補助台１０…は、以下に述べる如く夫々回転円板１の下側の方向、即ち、床面Ｆの方向に弾発された状態で取り付けられ、且つ、全体は図示の如く四角形のの板状に形成されると共に、その外側端が前記回転円板１の外周縁と同一面、或いは、それよりも若干内側に位置するように形成されている。また、これ等各補助台１０…の下面には、夫々面ファスナー１１Ａ等の接合材を用いてメラミン系樹脂発泡体を用いて四角の立方体形状に形成されたパッド１１が着脱自在に取り付けられており、且つ、これ等各パッド１１の外端面は回転円板１の外周縁と略同一線に構成したので、壁際までの洗浄を可能にすると共に、四角形に形成することにより材料取りを良くしている。更に、メラミン系樹脂発泡体で造ったパッド１１は摩耗しやすいが、上記面ファスナー１１Ａを使用している点で交換も容易に行なえる。
【００３３】
尚、上記の各補助台１０…は、上記パッド１１を取り外すと、上記ブラシ２…の毛先のラインよりも充分内側に位置して床面Ｆには接しないように構成されている。従って、パッド１１を取外した場合には、この床面洗浄機ＳＢを一般の洗浄機として使用することができる。また、このパッド１１を取外した補助台１０にブラシを取り付けて、ブラシ台として使用することも可能である。
【００３４】
図４の各図並びに図６（２）において、１３…は前記回転円板１に設けた嵌込み穴１Ａに嵌め込んで固定された上記補助台取り付け用の係合体で、全体を断面略キャップ形状に形成した各係合体１３…は、前記各補助台１０…の取付位置毎（図面では３箇所）に対応させて固定されている。
【００３５】
フランジ１３Ｔによって各嵌込み穴１Ａ内に抜け出し防止状態に嵌め込んで固定された各係合体１３…の内部中央には、図４に示す如くシリンダー１４が下向きに突出形成され、一方、前記補助台１０の上面にはスライドシャフト１２が突設されていて、このスライドシャフト１２が上記シリンダー１４の内部に上下摺動自在に嵌め込まれている。
【００３６】
更に図４の各図に示す如く、上記係合体１３と補助台１０の間には、補助台１０を常時下方に弾発して、パッド１１の下面が図４（１）に示すように常に上記ブラシ２の毛先のラインよりも下側に位置するようにする弾性部材としてのコイルスプリング１５が介在されている。また、上記スライドシャフト１２には、シリンダー１４との摺動を円滑に行うために潤滑油を含浸させた摺動用リング１７が装着され、更に上記補助台１０の上面には、上記スライドシャフト１２とシリンダー１４との嵌合部の周囲を囲って、ゴミ等の浸入を防止する防塵筒１６が立ち上げ形成されている。
【００３７】
尚、上記図４に示した実施例では、シリンダー１４を係合体１３に設け、スライドシャフト１２を補助台１０に設けた構成にしているが、これを図５の如くシリンダー１４を補助台１０に設け、スライドシャフト１２を係合体１３に設けた反対の構成にしても、同様の作用、効果を発揮することが可能である。
【００３８】
更に図３乃至図５において、１８は上記補助台１０の上面に上記スライドシャフト１２と平行に立設した補助シャフトであって、この補助シャフト１８の上端側を、上記回転円板１に設けた貫通孔１Ｂを通して上方に突出することにより、上記補助台１０の回転を防止すると共に、補助シャフト１８の上端部に抜け止め部材としてのワッシャー付き止めネジ１８Ｔを装着することにより、この抜け止めネジ１８Ｔの調節によって補助台１０の最大突出量の設定ができる仕組みになっている。
【図面の簡単な説明】
【００３９】
【図１】本発明に係るブラシ装置を搭載した床面洗浄機の一例を示した斜視図。
【図２】本発明に係るブラシ装置の底面図。
【図３】図２のＸ−Ｘ線に沿った断面図。
【図４】（１）は図３のＡ部を拡大し、且つ、天地を逆にして示した要部の断面図、（２）はパッドを床面に押圧した状態を示した要部の断面図。
【図５】本発明の他の実施例を示した要部の断面図。
【図６】（１）は本発明に係るブラシ装置を底面側から見た斜視図、（２）はその上面側から見た斜視図。
【符号の説明】
【００４０】
ＳＢ            床面洗浄機
ＭＴ            モータ
１              回転円板
１Ａ            取り付け穴
１Ｂ            貫通孔
２              ブラシ
２Ｘ            ブラシが無い円板面
３              給水ポンプ
４              ブロアー
５              スキージ
１０            補助台
１１            パッド（メラミン系樹脂発泡体）
１１Ａ          面ファスナー
１２            スライドシャフト
１３            係合体
１４            シリンダー
１５            弾性部材としてのコイルスプリング
１６            防塵筒
１７            摺動用リング
１８            補助シャフト
１８Ｔ          抜け止め部材としてのワッシャー付き止めネジ
Ｆ              床面          
【図１】
0005155742.tif 000002
【図２】
0005155742.tif 000003
【図３】
0005155742.tif 000004
【図４】
0005155742.tif 000005
【図５】
0005155742.tif 000006
【図６】
0005155742.tif 000007